(57)【特許請求の範囲】
【請求項１】
制御系ネットワークに接続され、前記制御系ネットワークに接続されて制御対象機器をコントロールするＰＬＣ等のＦＡシステム装置が持つ情報を収集し、その収集によって得られた収集情報を、その収集情報が何についての情報であるかを特定するための文字からなる名前情報と関連付けて、通信網を介して外部に配信する情報配信装置であって、
前記制御系ネットワークを介して前記ＦＡシステム装置との間でデータ通信をすることによってその装置が持つ情報を収集する情報収集手段と、
前記情報収集手段によって収集した収集情報と前記名前情報とを含んでなる配信情報のうち、真のデータのままで外部に見せない収集情報と真の文字のままで外部に見せない名前情報について、その両方またはいずれか一方を選択的に、見せても問題ない偽データと外部に見せない名前情報のそれぞれに個別対応させた任意の文字からなる偽コメントにそれぞれ加工するための定義情報を予め設定して記憶する定義情報記憶部と、
収集情報と名前情報とを含んでなる前記配信情報のうち、真のデータのままで外部に見せない収集情報については、前記定義情報記憶部に記憶した定義情報の偽データに基づき、見せても問題ないが何かしらのデータがあることが分かるように偽データに書き換えて加工するとともに、真の文字のままで外部に見せない名前情報については、前記定義情報記憶部に記憶した定義情報の偽コメントに基づき、見せても問題ないが何かしらの文字があることが分かるようにその名前情報に対応する偽コメントに書き換えて加工する情報加工手段と、
収集情報と名前情報とを関連付けてなる前記配信情報を通信網を介して外部に配信するに際し、配信情報のうち真のデータのまま外部に見せても良い収集情報と名前情報については真のデータと真の文字のまま配信するとともに、配信情報のうち真のデータのままで外部に見せない収集情報と真の文字のままで外部に見せない名前情報については前記情報加工手段によって加工された偽データと偽コメントを対応させてそれぞれ配信する処理手段を備えた
ことを特徴とする情報配信装置。
【請求項２】
前記前記定義情報記憶部に記憶する偽コメントについては、その偽コメントを加工していることがわかるように「＊」等の伏せ字を付加した文字にして記憶することを特徴する請求項１記載の情報配信装置。
【請求項３】
前記前記定義情報記憶部に記憶する偽データについては、加工していることがわかるように「なし」の旨の文字にして記憶することを特徴する請求項１記載の情報配信装置。
【請求項４】
前記配信情報は、収集情報が格納されるアドレス情報を含み、前記配信情報のうち名前情報と収集情報が見せない情報であるか否かを問わず、そのアドレス情報は加工をすることなく配信することを特徴とする請求項１から３の何れか１項に記載の情報配信装置。
【請求項５】
前記定義情報記憶部の定義情報における前記外部に見せない収集情報は、個々の情報毎に設定するか、或いは、特定のアドレス範囲のすべての情報に対してまとめて設定することを特徴とする請求項１から４の何れか１項に記載の情報配信装置。
【請求項６】
前記情報加工手段で加工された収集情報または名前情報の加工前の情報を待避情報として一時的に格納する待避記憶手段と、
前記情報加工手段で加工された収集情報または名前情報について、外部システムで修正処理をして生成された修正情報を前記管理領域内のＦＡシステム装置にダウンロードするに際し、前記待避記憶手段に格納した前記待避情報に基づき、前記加工された収集情報または名前情報を加工前の情報に復帰する復帰手段を備えたことを特徴とする請求項１から５の何れか１項に記載の情報配信装置。
【請求項７】
請求項１から６の何れか１項に記載の情報配信装置と、この情報配信装置に通信網を介して接続されて情報配信装置からの配信情報を受信する外部システムと、からなるリモートエンジニアリングシステムであって、
前記情報配信装置は、所定の条件に合致するか否かを判断して合致した場合に、自己が管理する管理領域内のＦＡシステム装置が持つ情報を収集し、その収集によって得られた収集情報を、その収集情報が何についての情報であるかを特定するための文字からなる名前情報と関連付けて、前記外部システムに向けて自発的に配信するに際し、前記真のデータのままで外部に見せない収集情報と真の文字のままで外部に見せない名前情報については前記情報加工手段を稼動して見せても問題ない前記偽データまたは前記偽コメントの内容に加工した状態で配信し、
前記外部システム側では、前記情報配信装置から収集情報と名前情報とが関連付けられた配信情報を受信し、その受信した情報のうち前記加工された偽データについては見せても問題ないが何かしらのデータがあることが分かるように受信した偽データをそのまま表示出力し、かつ偽コメントについては見せても問題ないが何かしらのデータがあることが分かるように受信した偽コメントをそのまま表示出力するようにしたことを特徴とするリモートエンジニアリングシステム。
【請求項８】
請求項７に記載のリモートエンジニアリングシステムであって、
情報配信装置は、請求項２に記載の情報配信装置であり、
前記外部システム側において、加工されたものであることがわかるように表示出力されるようにしたとは、「＊」等の伏せ字を付加した偽コメントをそのまま表示することであることを特徴とするリモートエンジニアリングシステム。
【請求項９】
請求項７に記載のリモートエンジニアリングシステムであって、
情報配信装置は、請求項３に記載の情報配信装置であり、
前記外部システム側において、加工されたものであることがわかるように表示出力されるようにしたとは、「なし」の旨の文字に加工した偽データをそのまま表示することであることを特徴とするリモートエンジニアリングシステム。
【請求項１０】
請求項６に記載の情報配信装置と、この情報配信装置に通信網を介して接続されて情報配信装置からの配信情報を受信する外部システムと、からなるリモートエンジニアリングシステムあって、
前記情報配信装置は、所定の条件に合致するか否かを判断して合致した場合に、自己が管理する管理領域内の装置が持つ情報を前記外部システムに向けて自発的に配信するに際し、前記見せない収集情報と名前情報に対しては前記情報加工手段を稼働して見せても問題ない偽データまたは偽コメントの内容に加工した状態で配信し、
かつ、前記情報配信装置は、前記情報加工手段で加工された情報の加工前の情報を待避情報として一時的に保持しておき、
前記外部システムは、受信した前記偽データや偽コメントを含んだ情報に基づき、前記装置が正常に動作するための修正情報を生成するとともに、その生成した修正情報を前記偽データや偽コメントを含んだ状態で前記情報配信装置を介して前記装置にダウンロードし、
前記情報配信装置は、前記待避情報に基づき、ダウンロードされた修正情報中に偽データや偽コメントが存在する場合に、前記加工された偽データや偽コメントを加工前の情報に復帰するようにしたことを特徴とするリモートエンジニアリングシステム。
【発明の詳細な説明】
【０００１】
【発明の属する技術分野】
この発明は、情報配信装置並びにリモートエンジニアリングシステムに関するものである。
【０００２】
【発明の背景】
工場や各種現場にあっては、ＦＡシステムその他の設備機器が設置され、稼働している。係る場合、ＦＡシステム等を構成する各種装置に不具合が発生すると、メンテナンスをする必要が生じる。従来の係るメンテナンス(サポート)体制は、例えば、ＦＡシステム等を利用しているユーザが電話，ＦＡＸなどを用いてサポートする人がいるセンタ（サポートセンタと呼ぶ。多くの場合はベンダーが請負っている）へ連絡を取るとともに、故障状況等を伝える。そして、係る連絡を受けたサポートセンタでは、必要に応じてメンテナンス要員を現場に派遣し、必要なメンテナンス処理を行っている。
【０００３】
しかしながら、電話等によりユーザが装置の状況を説明するため、正確な情報を迅速に伝えることは困難である。さらに、係るメンテナンスシステムを実現するためには、工場・現場とサポートセンタにそれぞれ人が存在している必要があり、２４時間体制で監視・メンテナンス等のサポートをするのは困難である。
【０００４】
一方、遠隔地で監視等をするリモートエンジニアリングを利用して上記サポートをすることが考えられる。特に、ＦＡシステム等では設備装置同士がネットワークで接続されているので、そのネットワークをインターネットその他の通信網を介してサポートセンタ側の監視システムと接続することにより、遠隔地からＦＡシステムの各装置の状態を監視することが可能となる。そして、故障がプログラム，データなどのソフトウェアに起因する場合には、プログラムやデータファイルをアップロードしたうえで、それらを修正したり、変更，書替えしたりして、修正プログラムや修正データをサポートセンタからダウンロードすることにより、サポートセンタなどの遠隔地から直接メンテナンスを行うことができ、効率が良い。また、遠隔地にてデータの解析が可能となり、いわゆるサプライチェーンマネジメントを行うことも可能となる。
【０００５】
しかしながら、工場などにおいては、ノウハウ，生産内容その他の秘密にすべき情報が、設備装置のメモリ内に格納されている。従って、遠隔地が同一の会社内であれば問題がないが、通常、ユーザとサポートセンタまたはベンダーとは別会社であるので、リモートエンジニアリングを採用し、遠隔地から各種装置のメモリに格納された情報が自由に見ることができるようになると、ユーザにとっては係る秘密にすべき情報までベンダーが見ることができる状態になるので好ましくない。
【０００６】
この発明は、ユーザが秘密にしたい情報を見せることなく、監視，メンテナンス，保守などに必要な情報を外部にむけて配信可能または外部からアクセス可能にすることのできる情報配信装置並びにリモートエンジニアリングシステムを提供することを目的とする。
【０００７】
【課題を解決するための手段】
この発明による情報配信装置は、制御系ネットワークに接続され、前記制御系ネットワークに接続されて制御対象機器をコントロールするＰＬＣ等のＦＡシステム装置が持つ情報を収集し、その収集によって得られた収集情報を、その収集情報が何についての情報であるかを特定するための文字からなる名前情報と関連付けて、通信網を介して外部に配信する情報配信装置であって、前記制御系ネットワークを介して前記ＦＡシステム装置との間でデータ通信をすることによってその装置が持つ情報を収集する情報収集手段と、前記情報収集手段によって収集した収集情報と前記名前情報とを含んでなる配信情報のうち、真のデータのままで外部に見せない収集情報と真の文字のままで外部に見せない名前情報について、その両方またはいずれか一方を選択的に、見せても問題ない偽データと外部に見せない名前情報のそれぞれに個別対応させた任意の文字からなる偽コメントにそれぞれ加工するための定義情報を予め設定して記憶する定義情報記憶部と、収集情報と名前情報とを含んでなる前記配信情報のうち、真のデータのままで外部に見せない収集情報については、前記定義情報記憶部に記憶した定義情報の偽データに基づき、見せても問題ないが何かしらのデータがあることが分かるように偽データに書き換えて加工するとともに、真の文字のままで外部に見せない名前情報については、前記定義情報記憶部に記憶した定義情報の偽コメントに基づき、見せても問題ないが何かしらの文字があることが分かるようにその名前情報に対応する偽コメントに書き換えて加工する情報加工手段と、収集情報と名前情報とを関連付けてなる前記配信情報を通信網を介して外部に配信するに際し、配信情報のうち真のデータのまま外部に見せても良い収集情報と名前情報については真のデータと真の文字のまま配信するとともに、配信情報のうち真のデータのままで外部に見せない収集情報と真の文字のままで外部に見せない名前情報については前記情報加工手段によって加工された偽データと偽コメントを対応させてそれぞれ配信する処理手段を備えて構成した。
そして、具体的な一例としては、前記前記定義情報記憶部に記憶する偽コメントについては、その偽コメントを加工していることがわかるように「＊」等の伏せ字を付加した文字にして記憶することとしたり、前記前記定義情報記憶部に記憶する偽データについては、加工していることがわかるように「なし」の旨の文字にして記憶することとしたりできる。
【０００８】
ここで、定義情報記憶部は、実施の形態では、メモリ２３の定義エリアに対応する。また、加工は、実施の形態ではモザイク処理のことを含めて言う。また、情報は、実施の形態で言うデータやデータの内容を特定するアドレスや名前やプログラムなどを含むものである。情報配信装置は、実施の形態ではデータ収集ユニット２０により実現されている。その管理領域は、工場や現場等のある限られた範囲としていて、その管理領域内の装置は、情報配信装置にネットワークなどの通信設備により接続され、直接または間接的に情報の送受が可能な装置である。また、情報配信装置は通信網を介して遠隔地とつながっている。
【０００９】
加工した情報を配信する手段は、情報配信装置が直接的に自己が記憶保持している情報を配信する場合と、実施の形態におけるメンテナンス時の処理のように、モザイク処理した加工情報（加工データ）を装置に格納し、外部への見せたくないデータの配信は、その加工データに基づき行う場合がある。
【００１０】
また、配信は、直接或いは間接を問わず、最終的に目的とする相手に情報（加工データを含む）が到達するようになっていればよい。さらに、配信は、送信と称しても良く、実施の形態におけるメンテナンス時に、遠隔地側の外部システム側がアップロードして情報を吸い上げるようなものも本発明で言う配信に含まれる。さらに、配信するタイミングは、自発的に行っても良いし、外部からのアクセス要求に応じて行うものでも良い。
【００１１】
情報の中には、装置さらにはその装置に接続された機器の状態を示すＩ／Ｏデータや測定値などの情報や、原料の使用量，通電時間，現在の生産数，不良品数等の稼働実績を示す情報や、ある物質の製造における原料名，その組成比，順番，動作時間，工程移動時間などの製造に関する情報とがある。ここでは、これをまとめて製造情報と言う。そしてこれら製造情報の中には、ノウハウでもあり、秘密にしたい情報が含まれている。
【００１２】
この発明では、秘密にしたい情報、つまり外部に見せたくない情報を予め定義情報として記憶させておき、データを外部に配信する際に、見せても問題のない内容に加工するため、係る秘密が外部に漏れることが無くなる。よって、安心してベンダーなど外部に管理領域内の内部情報を配信して公開することができ、リモート監視やリモートメンテナンスなどのリモートエンジニアリングが可能となる。
【００１３】
そして、前記定義情報における前記外部に見せられない情報は、情報毎に設定してもよいし、アドレス範囲で設定することもできる。さらに他の要素として、ベンダー，時間，データ収集ユニットにつながる機器の組み合わせで、見せられない情報を設定しても良い。すなわち、例えばベンダーＡにはＰＬＣ１０の中の任意データを伏せる，ベンダーＢには分散制御システム１２の中のデータの一部を伏せる，７時から９時はベンダーＣには伏せないなどがある。
【００１４】
また、配信する情報（配信情報）としては各種のものがあるが、配信情報は、前記収集情報が格納されるアドレス情報を含み、前記配信情報のうち名前情報または収集情報が見せない情報であるか否かを問わず、そのアドレス情報は加工をすることなく配信するとよい。特に、メンテナンスをすることを考慮すると、前記定義情報記憶部の定義情報における前記外部に見せない収集情報は、個々の情報毎に設定するか、或いは、特定のアドレス範囲のすべての情報に対してまとめて設定することができるとよい。
【００１５】
さらに、リモートメンテナンスをすることを考えると、前記情報加工手段で加工された収集情報または名前情報の加工前の情報を待避情報として一時的に格納する待避記憶手段と、前記情報加工手段で加工された収集情報または名前情報について、外部システムで修正処理をして生成された修正情報を前記管理領域内のＦＡシステム装置にダウンロードするに際し、前記待避記憶手段に格納した前記待避情報に基づき、前記加工された収集情報または名前情報を加工前の情報に復帰する復帰手段を備えるとよい。
【００１６】
ここで、「外部システム」とは、実施の形態では、ベンダー２に対応する。１つの装置でもよいし、複数の装置から構成されるものでも良い。また、「待避記憶手段」は、実施の形態ではメモリ２３のスタックエリアに対応する。さらにまた、「ダウンロードする際」とは、ダウンロード前でもよいし、実際にダウンロードされた後でもよく、ダウンロード処理に関連して、与えられた修正情報の一部を書き換えするようになっていればよい。
【００１７】
外部システムに対しては、一部の情報を見られても問題のない内容（加工データ）に変えているため、外部システム側で作成された修正情報は、係る加工データを含んでいる。従って、その加工データを含んだ修正情報をダウンロードしたままとすると、正常に動作しなくなる。そこで、予め加工前の正しい情報を待避情報として記憶保持しておき、取得した修正情報の内、待避情報に対応する部分はその待避情報に更新する。このとき、加工した情報のすべてを加工前の情報に戻すことが本来のねらいに合致するが、必要に応じて加工した情報の一部を加工前の情報に戻すようにしても良いし、戻すのを分割して一部ずつ数回に分けるように処理しても良い。つまり、本発明における復帰対象となる「加工された情報」とは、配信の際に加工した情報の少なくとも一部であれば良い。これにより、正常な状態に復帰される。なお、待避情報は、本来メンテナンスする際に必要のない情報であるため、修正情報として実際に修正されることは余り考えられないので、待避情報に更新しても修正内容への影響はない。
【００１８】
本発明に係るリモートエンジニアリングシステムは、
前記情報配信装置は、所定の条件に合致するか否かを判断して合致した場合に、自己が管理する管理領域内のＦＡシステム装置が持つ情報を収集し、その収集によって得られた収集情報を、その収集情報が何についての情報であるかを特定するための文字からなる名前情報と関連付けて、前記外部システムに向けて自発的に配信するに際し、前記真のデータのままで外部に見せない収集情報と真の文字のままで外部に見せない名前情報については前記情報加工手段を稼動して見せても問題ない前記偽データまたは前記偽コメントの内容に加工した状態で配信し、前記外部システム側では、前記情報配信装置から収集情報と名前情報とが関連付けられた配信情報を受信し、その受信した情報のうち前記加工された偽データについては見せても問題ないが何かしらのデータがあることが分かるように受信した偽データをそのまま表示出力し、かつ偽コメントについては見せても問題ないが何かしらのデータがあることが分かるように受信した偽コメントをそのまま表示出力するようにした。外部システムは、実施の形態では、ベンダーに設置しているが、メンテナンス会社（図示せず）にも設置しても良い。
そして、係るリモートエンジニアリングシステムでは、例えば、情報配信装置は、請求項２に記載の情報配信装置であり、前記外部システム側において、加工されたものであることがわかるように表示出力されるようにしたとは、「＊」等の伏せ字を付加した偽コメントをそのまま表示することとすることができる。また、別の例としては、情報配信装置は、請求項３に記載の情報配信装置であり、前記外部システム側において、加工されたものであることがわかるように表示出力されるようにしたとは、「なし」の旨の文字に加工した偽データをそのまま表示することもできる。
【００１９】
また、上記した待避記憶手段や更新手段を備えた情報配信装置と、外部システムが通信網を介して接続されて構成されるリモートエンジニアリングシステムとしては、前記情報配信装置は、所定の条件に合致するか否かを判断して合致した場合に、自己が管理する管理領域内の装置が持つ情報を前記外部システムに向けて自発的に配信するに際し、前記見せない収集情報と名前情報に対しては前記情報加工手段を稼働して見せても問題ない偽データまたは偽コメントの内容に加工した状態で配信し、かつ、前記情報配信装置は、前記情報加工手段で加工された情報の加工前の情報を待避情報として一時的に保持しておき、前記外部システムは、受信した前記偽データや偽コメントを含んだ情報に基づき、前記装置が正常に動作するための修正情報を生成するとともに、その生成した修正情報を前記偽データや偽コメントを含んだ状態で前記情報配信装置を介して前記装置にダウンロードし、前記情報配信装置は、前記待避情報に基づき、ダウンロードされた修正情報中に偽データや偽コメントが存在する場合に、前記加工された偽データや偽コメントを加工前の情報に復帰するようにするとよい。
【００２０】
上記した各構成を採ることにより、ベンダーなどの外部システムとの間で、秘密漏洩のおそれがない、安全なリモート監視やリモートメンテナンス等のリモートエンジニアリングシステムを提供することができる。そして、装置の状態の監視やデータ分析は、遠隔地にいる外部システム側で行え、故障の有無の判断や、故障時のメンテナンスや通常時の保守メンテナンスも遠隔地から行うことができ、また、仮に現地に行く場合でも、予め装置の状態が分かっているので、エンジニアは、適切な交換部品などを持って出かけることができる。従って、リアルタイム，迅速かつ高品質の対応（監視，分析，メンテナンス等）が図れる。
【００２１】
さらに、前記情報配信装置と前記外部システムとの間における情報の送受は、前記通信網に接続されたデータベースを介して行うと効果が増す。ここで、データベースは、実施の形態では、直接に接続するピアｔｏピアや個別のデータセンタ５の利用に対応する。このデータベースとベンダー２とを合わせて外部システムとしても良い。
【００２６】
このように、見せない情報は、加工して配信するようにした場合には、外部システム側で、ＰＬＣなどのデータ入力やデータの存在を確かめることができるというメリットを有する。つまり、何かしらの故障でデータが未入力で「無し」になっているのか、データは入力されているがモザイク処理で空白なのかを区別することができる。
【００２７】
なお、この発明はＦＡシステムに限らず、情報システム全般に利用できる。例えば、ＳＧＭＬ，ＨＴＭＬ，ＸＭＬでデータを送るとき、タグとしての定義内容のうち、外部に見せたくない情報にモザイク処理をして見せないようにするものにも利用できる。
【００２８】
【発明の実施の形態】
図１は、本発明が適用されるシステムの一例を示している。ＦＡシステム等が設置される工場（現場）１と、その工場に設置されたシステムのメンテナンスを行うベンダー２は、通信網３を経由して情報の送受が行えるようになっている。より具体的には、工場１側では、所定のプロバイダー４を介して通信網３に接続を図り、さらに実際の情報の送受は、データセンタ５を介して行うようにしている。
【００２９】
このデータセンタ５は、装置のベンダー２がユーザである工場（現場）１の設備を遠隔でサポートするために必要な機能を共有化するための環境を提供するもので、工場１からの情報は、一旦このデータセンタ５に格納され、ベンダー２はデータセンタ５にアクセスし、前記工場１からの情報を取得することにより、装置の状態を監視したり、必要に応じてデータセンタ５を経由して修正データ（プログラム）の更新等のメンテナンスを行う環境が設定される。なお、このデータセンタ５が自発的にデータをベンダー２へ配信するようにしても良い。。
【００３０】
工場１内に設置されたネットワークシステム（ＦＡシステム）の一例としては、図１に示すように、異なる種類のネットワークに接続され、通信プロトコルの相違を吸収し、それら各ネットワークに接続された装置間でのデータの送受を可能にするとともに、各ネットワークに接続された装置のデータを収集するデータ収集ユニット２０を備えている。このデータ収集ユニット２０は、サーバ機能と、異種ネットワーク間における通信ゲートウェイ機能とを備えている。
【００３１】
このデータ収集ユニット２０は、イーサネット（登録商標）等の情報系ネットワーク１５ａや、ＲＳ２３２Ｃ等のシリアル系ネットワーク１５ｂ並びにＤｅｖｉｃｅＮｅｔ（登録商標）などの制御系ネットワークであるフィールドバス（フィールドネットワーク）１５ｃ等が接続されている。さらに、上記したプロバイダー４とも通信をするようになっている。つまり、このデータ収集ユニット２０を介して、工場１の内部と、外部との間でデータの送受を可能とするもので、ファイアウォールの機能も実装している。図中ではプロバイダ４を設けているが、省略しても良い。
【００３２】
さらに、工場１内のネットワークシステムは、制御対象機器をコントロールするＰＬＣ（いわゆるプログラマブル・ロジック・コントローラ）１０や、ＦＡ機器の監視，制御や実績収集，帳票作成に適したデータ収集システム（ＳＣＡＤＡ：Ｓｕｐｅｒｖｉｓｏｒｙ  Ｃｏｎｔｒｏｌ  Ａｎｄ  Ｄａｔａ  Ａｃｑｕｉｓｉｔｉｏｎ）１１，分散制御システム（ＤＣＳ：Ｄｉｓｔｒｉｂｕｔｅｄ  Ｃｏｎｔｒｏｌ  Ｓｙｓｔｅｍ）１２等の各種装置を備え、それらの装置が情報系ネットワーク１５ａに接続されている。また、シリアル系ネットワーク１５ｂにはシリアルの通信機器１３が接続され、フィールドバス１５ｃには、フィールド機器１４が接続されている。なお、各ネットワーク１５ａから１５ｃに接続される各種装置の構成並びに、それらのネットワークシステムにおける動作・役割などは、従来と同様であるのでその詳細な説明を省略する。さらになお、データ収集ユニット２０に接続するネットワークは、上記のものに限ることはなく、例えば、パラレル通信やＵＳＢ，ＧＰＩＢ，セントロニクス，ＩＥＥＥ１３９４等のネットワークとしても良い。もちろん符号１５ｂのネットワークをそれら他のネットワークにした場合には、符号１３はそれに対応した機器としても良い。
【００３３】
また、この図１に示すシステム構成では、データセンタ５を介して工場（ユーザ）１とベンダー２との間で情報の送受を行うようにしたが、本発明はこれに限ることはなく、直接両者間で情報の送受を行うようにしても良い。例えば、通信網３に接続されたベンダー２のサーバなどを２４時間稼働させておき、通信網３を経由して、工場１の情報を係るサーバに書き込むことにより、ベンダー２側では２４時間監視し、必要に応じてメンテナンスをすることができる。
【００３４】
さらには、情報の送受をする際に使用する通信網として、インターネットや、例えば図２に示すようなＩＰ網３′を使用することもできる。係る場合、ベンダー２側のモニタリング装置２ａを用い、工場側から指定されたＩＰアドレスにより、データ収集ユニット２０を介して、ＰＬＣ１０やデータ収集システム（パソコン）１１のメモリに格納された情報を直接的に読み書きすることができる。これにより、状態の監視や、不具合時の補修などのメンテナンスを遠隔地から行うことができる。また、パソコン通信のように電話回線を利用したピアｔｏピア方式でも良い。
【００３５】
データ収集ユニット２０の内部構造は図３のようになっている。すなわち、各ネットワーク１５ａから１５ｃにそれぞれ接続され、所定の通信プロトコルによりデータの送受をするための各インタフェース２１ａから２１ｃと、各種処理を実行するためのＣＰＵ２２並びにメモリ２３を備え、それらは内部バス２４を介して接続されている。ここで言うメモリ２３は、ＲＯＭとＲＡＭを含む（フラッシュＲＯＭでも良い）。つまり、データ収集ユニット２０が実行するアプリケーションプログラムや、そのプログラムを実行する際に必要なデータが格納される。さらに係るプログラムの実行時のワークエリアとしても利用される。なお、インタフェース２１は、ここではシリアルインタフェースとしているが、前述のようにシリアル以外でも良い。
【００３６】
上記アプリケーションプログラムとしては、各ネットワーク１５ａから１５ｃを介して情報の送受を行ったり、必要なデータ収集を行ったり、外部システムと通信する機能等がある。この機能は、従来からある一般的なものであるので、その詳細な説明を省略する。
【００３７】
ここで本発明では、データ収集ユニット２０は、ＰＬＣ１０，データ収集システム１１，分散制御システム１２，通信機器１３並びにフィールド機器１４などから収集したデータ（生データ）をメモリ２３の所定エリアに格納するが、自発的或いはベンダー２などの外部からの要求に応じて前記データを配信（送信）するに際し、秘密にしたい部分はモザイク処理（マスク処理とも称する）を施し、生データを見ることのできない状態にした後で、実際に配信を行うようにしている。ここでいう「見せることができない状態」とは、何かしらのデータがあることは分かるものの、真のデータを見ることができないことを言い、偽のデータに書き換えたり、「＊」等に書き換えるといった伏せ字の状態にするなどの各種の加工手法が採れる。さらに、係る秘密にしたい部分は、配信しないようにすることもできる。なお、モザイク処理の対象となるデータとは、ＰＬＣ１０などから送られる実際の稼働状態を示すデータ（Ｉ／Ｏデータ，測定値等）はもちろんのこと、そのデータの意味を示すコメント（温度，時間，生産数など）など、各種の製造情報を含むものである。
【００３８】
なお、「偽のデータ」とは、真のデータ（真データ）に対する「偽」であり、加工データのことを指す。換言すると、ダミーデータの意味である。この点は、以下の説明でも同じであり、「偽情報」や「偽コメント」や「偽Ｉ／Ｏコメント」等における「偽」も同様である。る。
【００３９】
また、本実施の形態では、単に工場１側の状態を発信するのみでなく、不具合が生じている場合には、リモートエンジニアリングシステムにより、遠隔地にあるベンダー２にて作成した修正プログラムや修正データ（各種条件・定義等）などを、所定の通信網３，３′を介して工場１側に伝送し、ダウンロードすることにより所定の更新処理をするといったメンテナンスを実行できるようにしている。
【００４０】
このメンテナンスの際には、データ収集ユニット２０の機能で、メモリ２３に修正プログラム並びに修正データを格納し、データ収集ユニット２０から所定の装置に対して上記修正プログラム等をダウンロードする。また、係る機能がない場合には、データ収集ユニット２０はゲートウェイでもあるので、係るデータ収集ユニット２０を介して所定の装置（ＰＬＣ１０など）のメモリにアクセスし、データの更新を行うことになる。
【００４１】
なお、上記した配信の際にも説明した通り、所定のデータ等はモザイク処理が施されており、ベンダー２側では、そのモザイク処理されたデータに従って修正処理をするため、修正プログラムや修正データは、モザイク処理された偽のデータ等を含むものとなる。よって、係る加工データ等を含んだ修正プログラム等をそのまま対応する装置にダウンロードすることになるので、そのまま装置を稼働すると正常に動作しない。そこで、データ収集ユニット２０は、メンテナンスモード（つまり、修正するためのダウンロードを行うモード）にある場合、少なくともモザイク処理した加工データ等に対し、モザイク処理する前の真のデータ（生データ）をメモリ２３に記憶保持（スタック）させておき、修正プログラム等をダウンロードされた後で、上記記憶保持させておいた真のデータに基づいて修正プログラム等の更正（復帰，逆モザイク処理）を行う。つまり、真のデータに置き換える処理を実施する。これにより、装置を正常に動作させることができる。
【００４２】
そして、上記した各処理を実施するための具体的な機能は、以下の通りである。まず、メモリ２３のデータ構造は、図４に示すように、ＯＳや、その他の基本的な処理を実行するプログラムを記憶するシステムエリアと、モザイク処理をするために必要な情報（モザイクする情報の特定並びに表示・提供する偽情報等）を記憶する定義エリアと、アクセスを許可する正規のベンダーを特定するための顧客（ベンダー）ＩＰ等を記憶する顧客ＩＰ設定エリアと、ＰＬＣ１０等の装置から収集する生データを格納するデータエリアと、メンテナンスモードの際に、生産情報やＩ／Ｏコメントなどのモザイク処理の対象となった真の情報を待避させるスタックエリアなどがある。
【００４３】
本実施の形態では、工場１（データ収集ユニット２０）から配信される情報として、製造情報の具体的なデータ（測定値，原料名など）と、そのデータが格納されているアドレス情報並びにそのデータが何についてのデータであるかを特定する名前を関連付けて行うようになっている。名前については、見せて良い名前をそれぞれユーザが登録する方式を採ることができる。また、ＰＬＣの場合には、ラダープログラム中にはＩ／Ｏコメントが付記されるので、係るコメントをそのまま名前として採用する。これにより、各データ毎の名前の登録処理が不要となり、初期設定に係る処理が簡易化される。但し、係るコメントも隠したい場合もあるので、加工コメントとして名前を登録できる機能を持たせると良い。
【００４４】
次に、モザイク処理対象のデータの特定（定義）方式について説明する。本実施の形態では、テーブル方式（アドレス範囲指定，アドレス単位指定）と、タグ設定方式と、フラグ方式を用意しておき（各方式の具体的な内容は後述）、ユーザ側で何れかひとつの方式か、または複数の方式の混合利用かを選択して設定することができるようにしている。
【００４５】
＊テーブル方式（アドレス範囲指定）
ＰＬＣにおけるデータアドレス範囲に対し、そのまま見せるデータと見せないデータを格納するエリアを予め設定し、ユーザプログラム等を作成する際に、各データの種類（モザイク処理の有無）を判断し、格納エリアを設定する。例えば、図５に示すように、ＤＭ００からＤＭ５０のエリア範囲を見せるデータと事前定義し、ＤＭ５１からＤＭ１００のエリア範囲を見せない（モザイク処理する）データと事前定義する。なお、実際の指定は一方の種類のみ設定することにより、設定されなかった残りの範囲は自動的に他方の種類とすることができる。また、指定するエリア範囲は、必ずしも２分割するのではなく、例えば全体でＤＭ００からＤＭ１００までの記憶エリアが存在する場合に、ＤＭ００からＤＭ１０とＤＭ５０からＤＭ７０までを見せるデータエリアとし、他の部分を見せないデータエリアとするように、各種類を１つ、または複数箇所に分割して設定することもかまわない。
【００４６】
また、ＰＬＣの場合、ラダープログラム上でＩ／Ｏコメントが付記されることがあるので、このコメントもベンダー２のモニタリング装置２ａに出力表示される。このとき、データを見せるデータアドレス範囲のものは、Ｉ／Ｏコメントをそのまま表示し、データを見せないデータアドレス範囲のものは、Ｉ／Ｏコメントを表示しないようにする。具体的には、全てのＩ／Ｏコメントを「＊」としたり、表示しない（空欄、いわゆるＮＵＬＬデータやスペースデータを送る）とすることができる。図５に示す設定の場合、ベンダー２側の画面は、例えば図６に示すように表示される。なお、以下の例も同様であるが、図５中データの欄は、説明の便宜上示したが、実際の稼働中にデータ収集し、メモリ２３のデータエリアに格納するものであり、定義エリアに格納するモザイク処理のための情報としては、少なくともデータの欄は不要で、見せる／見せないデータのアドレス範囲を特定する情報が有ればよい。そして、好ましくは表示する真または偽のＩ／Ｏコメントも各アドレスと関連付けて定義エリアに登録することである。
【００４７】
＊テーブル方式
システム導入後ユーザが自由にアドレス単位毎にデータの配信について、モザイク処理をかけるか否かの設定を行う方式である。つまり、図７に示すように、アドレス毎に配信し、画面に表示するコメントと、データ表示の有効／無効を関連付けたモザイク処理情報をテーブル形式で生成し、メモリ２３の定義エリアに格納する。具体的には、ツール装置などの設定画面上に図７に示すようなテーブル（当初は表示コメント，有効／無効の欄は空欄＆データの欄は無し）を表示しておき、アドレスに対応する真コメントの欄は、コメントを読み出して表示する。
【００４８】
この状態において、ユーザは、真コメントを見てそのまま表示したくない場合には、表示コメントの欄に偽コメント（つまり、加工コメント）を登録する。本実施の形態では、先頭に「＊」を付加するようにしている。また、見せて良いコメントの場合には、真コメントをそのまま登録する。さらに、有効／無効の欄には、見せて良いデータの場合には「○」を、見せていけない場合には「×」を入力する。
【００４９】
コメント（名前）とデータのそれぞれについて、見せる／見せない（モザイク処理する／しない）の設定ができる。よって、図７に示すように、▲１▼コメントとデータの両方とも見せない（ＤＭ００，ＤＭ１００），▲２▼コメントは見せるがデータは見せない，▲３▼コメントは見せないがデータは見せる（ＤＭ１０），▲４▼コメントとデータの両方とも見せる（ＤＭ０５）のパターンがある。さらに、見せない場合に、ＤＭ１００のように、全く表示しないものと、ＤＭ００のように関係のないコメントを表示させたり、ＤＭ１０のように関連する名称を表示するなど、ユーザ側の指定により各種の形態を取ることができる。
【００５０】
そして、図７に示すように設定した場合、ベンダー２側の表示画面は、図８に示すようになる。なお、同じデータに対し、工場１内の現場での画面は、図９に示すように真コメントと生データを表示するようになる（アドレス非表示）。
【００５１】
＊タグ設定方式
データ毎にタグを設定し、必要に応じてモザイク処理をする。すなわち、例えばデータ収集システム１１や分散制御システム１２のように、監視対象の装置がパソコンのような場合、各データに対して名前を付加するために、Ｔａｇナンバーとデータアドレス並びに名前、さらにデータの有効／無効（見せる／見せない）を関連付けてユーザが登録する。
【００５２】
そして、係るタグ設定されたモザイク処理情報は、メモリ２３の定義エリアに格納され、実際のモザイク処理をする場合には、アドレスで指定されるデータを抽出し、図１１に示すような画面表示をする。なお、図１１中「データ」とは、実際にはアドレスで指定された生データを出力表示することになる。なお、コメントを備えている場合に対してこのタグ設定方式を適用してももちろん良い。
【００５３】
＊フラグ方式
各データの先頭にそのデータを見せるか否かを規定するフラグ設定をする。具体的には、図１２に示すように、データとともに表示する名前をフラグとして兼用し、名前の先頭に「＊」を付加した場合にはデータを見せないようにする。
【００５４】
そして、係るフラグ設定されたモザイク処理情報は、メモリ２３の定義エリアに格納され、実際のモザイク処理をする場合には、アドレスで指定されるデータを抽出し、図１３に示すような画面表示をする。この例では、フラグが、そのまま画面の名前として使用される。そして、フラグに「＊」が存在している場合には、データを見せたくないことを意味しているので、データ自体を出力しない。また、フラグの名前は、ユーザが自由に設定できるので、真コメントなどが存在する場合、それを見せても良い場合には、フラグにそのまま格納し、見せたくない場合には、偽コメントなどを格納すればよい。
【００５５】
次に、ＣＰＵ２２の具体的な機能について説明する。このＣＰＵ２２には、モザイク処理をするために必要な各種定義（初期設定）を行う定義ファイル作成機能と、システム稼働中において、所定の条件に合致した場合にモザイク処理をしてデータを配信する機能を備えている。さらに、データを配信する機能は、より具体的には、ベンダー２側での監視のためにデータを出力する通常配信モードと、工場１内の装置が持つプログラムやデータ等の情報を修正（メンテナンス）するメンテナンスモードがあり、各モードにより配信する際の前処理並びに後処理が異なる。具体的な一例としては、図１４以降に示すプログラムを実施するようになっている。
【００５６】
定義ファイル作成機能は、図１４に示すように、ツール側（図示せず）でステップ１からステップ７間での処理を順次実行して定義ファイルを作成する。つまり、まず、モザイク処理する際の方式（テーブル方式／タグ方式／フラグ方式）を選択する（ＳＴ１）。これは、ツールのモニターに表示するメニュー画面から選択する。
【００５７】
次に、必要情報を作成する（ＳＴ２）。つまり、配信先，メンテナンスを許可するベンダー２に関する情報（ベンダーが持つモニタリング装置２ａのＩＰ，ＩＤやパスワード等の正規のベンダーを認識するための情報等）や、データセンタ５へアクセスするための情報や、自発的にデータを配信する場合には、その配信処理をするイベント情報（配信時刻，異常時等の配信条件）等を入力する。なお、イベント情報などは、以下のモザイク定義情報として入力するようにしても良い。
【００５８】
次いで、モザイク定義情報（つまり定義ファイル）を作成する（ＳＴ３）。すなわち、選択された方式に応じた必要な情報を取得し、モザイク情報の入力画面を表示する。つまり、監視・メンテナンス対象となる装置（ＰＬＣ１０，各種システムを搭載したパソコン等）のメモリ情報（タグとアドレスとそれに割り付けられたデータに関する情報等）を読み出し、図５，図７，図１０，図１２のような入力画面を出力表示する（例えば、表形式表示）。このとき、不明な部分は空欄のままとする。そして、ベンダー２に配信する情報の登録をする。具体的には、前処理で表示した入力画面中の空欄の部分に必要な情報を登録する。
【００５９】
一例を示すと、テーブル方式の場合には、見せてもよいデータを登録するアドレス範囲と見せてはいけないデータを登録するアドレス範囲を指定し、テーブル方式の場合には、各データ毎にデータを見せて良いか否かの設定（有効／無効の欄に○／×を入力）を行うとともに、各データ毎に表示するコメント（真コメントｏｒ偽コメント）を設定する。また、タグ方式の場合には、タグ名とそれに割り付けるアドレスがステップ２で行われているので、各タグ毎に表示する名前，データの有効／無効情報を登録する。さらに、フラグ方式の場合には、フラグを付加する。また、配信先のベンダーを特定するための情報（ＩＰ，ＩＤ，パスワードなど）も併せて入力する。
【００６０】
定義ファイルを確定し、ツール側で係る定義ファイルを記憶保持する（ＳＴ４，ＳＴ５）。そして、データ収集ユニットの動作を停止し（ＳＴ６）、そのデータ収集ユニットに対して前記確定した定義ファイルや必要情報をダウンロードする（ＳＴ７）。ここまでがツール側での処理である。
【００６１】
データ収集ユニット２０のＣＰＵ２２は、上記ダウンロードされてきた必要情報並びに定義ファイルをそれぞれメモリ２３のＩＰ設定エリアや定義エリアなどの所望の記憶領域に記憶させる（ＳＴ８）。そして、ツールの設定モードを解除し、データ収集ユニット２０の動作を開始する（ＳＴ９）ことにより、定義ファイル作成処理を終了する。
【００６２】
通常のシステム稼働時におけるデータ配信機能は、図１５以降に示すフローチャートを実行するようになっている。すなわち、データ収集ユニット２０が運転モードで、データ収集機能やゲートウェイ機能などの通常動作をする（ＳＴ１０）。接続された各装置から送られる情報に基づき異常の有無を判断する（ＳＴ１１）。そして、異常があった場合には、その異常データを記憶する（ＳＴ１２）。ここでは、異常をトリガとして配信イベントとしているが、常時か定時刻ごとに配信イベントの処理をしたり、特定のＰＬＣのＩ／Ｏの立上がりなどをトリガとして配信イベント処理をしても良い。
【００６３】
次いで、配信イベントになったか否かを判断する（ＳＴ１３）。つまり、監視側（ベンダやデータセンタ５等のリモート監視側）からの要求の有無や、自発的に配信する条件に合致したか否かを判断する。そして、配信イベントでない場合には、ステップ１０に戻り、上記処理を繰り返し実行する。また、配信イベントになった場合には、ステップ１４に進み、モードを確認する（ＳＴ１４）。つまり、単にデータを配信する通常配信モードか、メンテナンスモードかを判断する。なお、メンテナンスモードへの切替えは、実際には工場現場の人間が手動で行うようにしたほうが望ましい。
【００６４】
通常配信モードの場合、ステップ１６に進み、配信先を確認し、ＰＬＣのデータメモリ（ＤＭ），ユーザメモリ（ＵＭ）や、その他の装置の所定アドレスに格納されたデータや、異常データ等の指定データを収集し、収集したデータをメモリ２３のデータエリアに一時記憶する（ＳＴ１６からＳＴ１８）。
【００６５】
モザイク処理方式を確認し、メモリ２３の定義エリアを参照し、モザイク処理情報（定義ファイル）を取得し、モザイク処理をするデータを確認する（ＳＴ１９，ＳＴ２０）。そして、その定義ファイルに従ってモザイク処理をし、見せてはいけないデータ等を見せない状態（何かしらのデータがあることは分かる）に加工する（ＳＴ２１）。そして、モザイク処理（データ加工）後の加工データをメモリ２３に記憶させ（ＳＴ２２）、その加工データと、ステップ１７で収集した異常データを配信先へ送信する。
【００６６】
一方、ステップ１４の分岐判断で、メンテナンスモードの場合、図１６に示すステップ２４に飛び、ＰＬＣなどの少なくともメンテナンス対象の装置を一時停止する。実際には、工場にて現場の人間が制御システムを停止するようにしたほうが望ましい。そして、メンテナンス対象の装置（ＰＬＣなど）から、生データ，コメント等を読み出し、メモリ２３のスタックエリアに格納（待避）する。ここで待避対象のデータ等としては、少なくともベンダー２に対して見せないデータ（コメントを含む）に対応する真のデータ（生データ，真コメント等）とする。
【００６７】
次いで、モザイク処理を行い、隠しデータを作成する（ＳＴ２７）。この隠しデータは、基本的には上記した通常配信モードの時に行ったモザイク処理に伴う加工データと同じである。但し、本実施の形態では、この隠しデータをそのまま（データ収集ユニット２０から）メンテナンス先のベンダー２（データセンタ５経由を含む）に送るのではなく、一旦ＰＬＣ１０などのメンテナンス対象の装置のメモリに格納し、その装置のメモリに対してアクセスしてメンテナンスを行うため、見せないデータについてモザイク処理をすればよい。
【００６８】
生成した隠しデータをＰＬＣ１０などのメンテナンス対象の装置へダウンロードする（ＳＴ２７）。ダウンロードが完了したならば（ＳＴ２８でＹｅｓ）、ＰＬＣ等への通信、つまり、データ収集ユニット２０のゲートウェイ機能による外部（ベンダー２のモニタリング装置２ａ等）からデータ収集ユニット２０経由での当該装置のメモリに対するアクセスを許可する（ＳＴ２９）。
【００６９】
これにより、ベンダー２は、メモリに記憶されたモザイク処理後のデータ（プログラムを含む）をアップロード（配信）してモニタリング装置２ａ等に取り込み、必要な修正を行った（ベンダー２側の処理機能は後述する）後、係る修正データ（修正プログラム）を当該ＰＬＣ等の装置にダウンロードする。従って、データ収集ユニット２０のＣＰＵ２２では、係るＰＬＣ１０等とベンダー２のモニタリング装置２ａ間でのデータの通信を行なう（ＳＴ３０）。
【００７０】
そして、修正データ等のダウンロードが完了したならば（ＳＴ３１でＹｅｓ）、通信を不許可にする（ＳＴ３２）。次いで、メモリ２３のスタックエリアに格納しておいた待避データ（生データ，真コメント等）を読み出し（ＳＴ３３）、データの復帰（逆モザイク処理）を行う（ＳＴ３４）。つまり、ダウンロードされたメンテナンス後のデータは、モザイク処理してベンダーに隠したデータ（加工データ）に基づいて行われているので、係る隠したデータを生データ，真コメントに戻す処理を行う。生データについては、アドレスが分かっているので、係るアドレスに対して上書き処理をすることにより復帰処理ができる。コメントもモザイク処理情報にて、真コメントと偽コメントが分かっているので、対応する真コメントに戻す。
【００７１】
このデータ復帰処理が終了したならば、ステップ２４で一時停止したＰＬＣ１０などを再起動させる（ＳＴ３５）。これにより、メンテナンスされた修正プログラム（隠しデータに基づく更正済み）等に基づき、安定したシステムの稼働を行うことができる。実際には工場にて現場の人間が制御システム，ＰＬＣを再起動させるようにするのが望ましい。
【００７２】
図１７は、ベンダー２側の処理の一例を示している。同図に示すように、モニタリングにより、データ収集ユニット２０から直接或いはデータセンタ５経由で監視対象の装置のデータを受信し（このとき、メモリに格納する）、モニタリング装置２ａのモニタに表示する（ＳＴ４０，ＳＴ４１）。そして、メンテナンスモードでない場合（ＳＴ４２でＮｏ）には、その表示された内容を見て状態の監視と分析を行う。
【００７３】
一方、メンテナンスモードの場合（ＳＴ４２でＹｅｓ）、取得したデータ等に基づき、メンテナンス処理を行う（ＳＴ４３）。つまり、プログラム，データを検証し、不具合点を解消した修正プログラム，修正データを作成する。そして、係る修正した内容（処理データ）を、モニタリング装置２ａ側で記憶保持し（ＳＴ４４）、その修正プログラム，修正データを、データ収集ユニット２０を経由して、メンテナンス対象の装置のメモリにダウンロードする（ＳＴ４５）。
【００７４】
なお、データ収集ユニット２０側では、係る修正データを受信すると、内部をスルーしてＰＬＣ１０などのメンテナンス対象の装置にダウンロードし、その後、隠しデータの復帰処理を行う。
【００７５】
【発明の効果】
以上のように、この発明では、定義情報により、外部に見せたくない情報が定義されているため、その定義された情報は、外部に配信される際には、適宜加工された状態になるので、ユーザが秘密にしたい情報を見せることなく、監視，分析，メンテナンス，保守などに必要な情報を外部にむけて配信可能（外部からアクセス可能）にすることができる。
【図面の簡単な説明】
【図１】  本発明が適用されるシステム全体の一例を示す図である。
【図２】  本発明が適用されるシステム全体の他の例を示す図である。
【図３】  データ収集ユニットの内部構成の一例を示す図である。
【図４】  データ収集ユニットにおけるメモリのデータ構造の一例を示す図である。
【図５】  テーブル方式を説明する図である。
【図６】  図５で設定された場合のベンダー側に表示される画面の一例を示す図である。
【図７】  テーブル方式を説明する図である。
【図８】  図７で設定された場合のベンダー側に表示される画面の一例を示す図である。
【図９】  図７で設定された場合の工場側に表示される画面の一例を示す図である。
【図１０】  タグ方式を説明する図である。
【図１１】  図１０で設定された場合のベンダー側に表示される画面の一例を示す図である
。
【図１２】  フラグ方式を説明する図である。
【図１３】  図１２で設定された場合のベンダー側に表示される画面の一例を示す図である
。
【図１４】  定義ファイル作成の処理を示すフローチャートである。
【図１５】  データ収集ユニットのＣＰＵの機能を示すフローチャートである。
【図１６】  データ収集ユニットのＣＰＵの機能を示すフローチャートである。
【図１７】  ベンダーのモニタリング装置の機能を示すフローチャートである。
【符号の説明】
１  工場
２  ベンダー
２ａ  モニタリング装置
３  インターネット
３′  ＩＰ網
４  プロバイダー
５  データセンタ
１０  ＰＬＣ（プログラマブル・ロジック・コントローラ）
１１  データ収集システム（ＳＣＡＤＡ）
１２  分散制御システム（ＤＣＳ）
１３  通信機器
１４  フィールド機器
１５ａ  情報系ネットワーク
１５ｂ  シリアル系ネットワーク
１５ｃ  フィールドバス
２０  データ収集ユニット
２１ａから２１ｃ  インタフェース
２２  ＣＰＵ
２３  メモリ
２４  内部バス
【図１】
0003984046.tif 000002
【図２】
0003984046.tif 000003
【図３】
0003984046.tif 000004
【図４】
0003984046.tif 000005
【図５】
0003984046.tif 000006
【図６】
0003984046.tif 000007
【図７】
0003984046.tif 000008
【図８】
0003984046.tif 000009
【図９】
0003984046.tif 000010
【図１０】
0003984046.tif 000011
【図１１】
0003984046.tif 000012
【図１２】
0003984046.tif 000013
【図１３】
0003984046.tif 000014
【図１４】
0003984046.tif 000015
【図１５】
0003984046.tif 000016
【図１６】
0003984046.tif 000017
【図１７】
0003984046.tif 000018